(57)【要約】  本発明は、表示装置5であって、当該表示装置5のユーザへ情報を表示する表示スクリーン8を備える表示装置5に関する。表示装置5は、第１モード又は第２モードで動作可能である。第１モードにおいて、装置5の第１照明源6は、前記情報を表示するために表示スクリーン8を照らすように動作可能である。第２モードにおいて、表示スクリーン8の実質的に近傍に配置される第２照明源7は、前記ユーザへ画像、写真又は第２の情報を表示するための表示スクリーン8の第２の照明を提供するように動作可能である。
2009503599.tif 000002
【特許請求の範囲】
【請求項１】
表示装置であって、当該表示装置のユーザへ情報を表示する表示スクリーンを備える表示装置であって、前記表示装置が、第１モード又は第２モードで動作可能であり、前記第１モードにおいて、前記装置の第１照明源が、前記情報を表示するために前記表示スクリーンを照らすように動作可能であり、前記第２モードにおいて、前記表示スクリーンの実質的に近傍に配置される第２照明源が、前記ユーザへ画像、絵又は第２の情報を表示するための前記表示スクリーンの第２の照明を提供するように動作可能である、表示装置。
【請求項２】
請求項１に記載の表示装置であって、前記第２照明源が、前記第１照明源がスイッチオフにされる場合に、スイッチオンにされるように構成される、表示装置。
【請求項３】
請求項１又は２に記載の表示装置であって、前記第２照明源が、前記表示装置の前記表示スクリーンの周囲に配置される、表示装置。
【請求項４】
請求項１又は２に記載の表示装置であって、前記第２照明源が、前記表示スクリーンの前又は後ろに配置される、表示装置。
【請求項５】
請求項１ないし４のいずれか一項に記載の表示装置であって、前記表示装置が、どの照明源が前記スクリーンを照らすように動作可能であるかを制御する照明源制御ユニットを更に備える、表示装置。
【請求項６】
請求項１ないし５のいずれか一項に記載の表示装置であって、前記表示装置が、前記第１及び前記第２照明源の両方が同時に照明を提供するように動作可能である第３モードで動作可能である、表示装置。
【請求項７】
請求項１ないし６のいずれか一項に記載の表示装置であって、前記表示装置が、ブロック領域を有する少なくとも１つの画素を有し、前記第２照明源が、前記画素の前記ブロック領域に配置される、表示装置。
【請求項８】
請求項６に従属する請求項７に記載の表示装置であって、前記画素がサブ画素を含み、各サブ画素が対応する色の光を提供するように適合され、前記画素の前記ブロック領域における前記第２照明源は、前記対応する色のうちの１つに類似する色であって、前記第３モードにおいて前記第１及び第２照明源の結果としてこの色の光の総量を増加させるための色の光、又は前記第３モードにおいて前記表示装置の色全域を増加させるために前記対応する色のそれぞれとは異なる色の光、を発するように構成される、表示装置。
【請求項９】
請求項１ないし８のいずれか一項に記載の表示装置であって、前記第２照明源が、少なくとも１つの有機又は無機発光ダイオードを備える、表示装置。
【請求項１０】
請求項７に従属する請求項９に記載の表示装置であって、前記有機又は無機発光ダイオードが、蒸着処理、印刷処理、フィルタ処理又は噴霧処理によってフィルムの形態で前記画素に塗布される、表示装置。
【請求項１１】
請求項９又は１０に記載の表示装置であって、前記発光ダイオードが、注入層、輸送層、発光層、ブロック層、電子輸送層、若しくは第２電極層、又はこれらの組合せを含む、表示装置。
【請求項１２】
請求項９に記載の表示装置であって、前記発光ダイオードが、ZnS、Mn、Tb又はこれらの組合せなどの無機層を含む、表示装置。
【請求項１３】
請求項９に記載の表示装置であって、前記発光ダイオードが、ポリマーベースの有機発光ダイオードである、表示装置。
【請求項１４】
表示装置の表示スクリーンに当該表示装置のユーザへ情報を表示する方法であって、
−前記表示装置が、第１照明源と前記表示スクリーンの実質的に近傍に配置される第２照明源とを備え、
当該方法が、
−第１モードにおいて、前記情報を表示するために前記第１照明源をスイッチオンにするステップと、
−第２モードにおいて、画像、絵又は第２の情報を表示するために前記第２照明源をスイッチオンにするステップと、
を含む、方法。
【請求項１５】
請求項１４に記載の方法であって、前記第２照明源をスイッチオンにする場合に、前記第１照明源をスイッチオフにするステップ、
を更に含む、方法。
【請求項１６】
請求項１５に記載の方法であって、前記第２照明源の一部を順々にスイッチオンにするステップ、
を更に含む、方法。
【発明の詳細な説明】
【技術分野】
【０００１】
本発明は、例えばテレビ（ＴＶ）及び計算機のデータなどの情報を表示する主要機能を有する表示装置に関する。
【背景技術】
【０００２】
表示装置の例は、装置のスクリーンを介してテレビ、写真、計算機データ又は他の情報を表示する主要な機能を多く場合単に有するテレビ又はＰＣモニタであり得る。この種類の表示装置は、多くの目的に関して、且つ使用される状況に依存して連続的及び非連続的の両方で使用される。表示装置が使用されない場合、特にエネルギを節約するために場合に応じてスイッチオフされる。
【０００３】
表示装置が使用されない場合、表示装置は、別の目的に関しても使用され得る。このようなテレビを使用する他の目的の例は、日本国特許出願第2002-136650号から知られている。日本国特許出願第2002-136650号のテレビは、蛍光灯を有する液晶テレビ機を開示し、この蛍光灯は、当該テレビ機において、テーブルランプの形式によるテレビの追加的な使用のために設けられている。テレビ機のランプ機能は、光をＲ／Ｇ／Ｂ（赤／緑／青）のカラーフィルタを通過させることによって蛍光灯から白色光へと光を調整することによって提供される。蛍光灯は、このようにして、テレビの第２の機能をもたらすために再利用される。この場合蛍光灯である同種の光源を主要な機能及び第２の機能の両方に関して使用することにより、テレビ機の主要機能がスイッチオフされるときに、光源はこの場合ランプとしての第２の機能に関して使用されるので、何の電力も節約されない。
【０００４】
加えて、この種の表示装置は、情報を表示する主要機能又はランプの機能に関して使用されない場合、通常スイッチオフされる。スイッチオフ状態において、表示装置は、ブラックボックスのように見え、リビングルーム又は会議室などの大抵の周囲の環境に適合しない。表示装置は、見た目が味気ないが、エネルギを節約するためにスイッチオフにされる。
【０００５】
表示装置の表示スクリーンは益々大型化されていくにつれて、スイッチオフにされた場合の表示装置の黒くて味気ないモードは、結果として、益々味気なくなり、表示装置の周囲環境において更に適合しなくなる。
【０００６】
しかし、スイッチオフされた場合に黒くそして味気ないように見えないような改良された表示装置が益々有利になる一方で、表示装置自体を悪化させることなくより効率的であること及び／又はあまりエネルギを消費しないことは、特に有利であり得る。
【０００７】
テレビ又はＰＣモニタなどの表示装置は、複数の画素を用いることによって異なる色で情報を提示するための、いわゆる液晶ディスプレイと呼ばれるＬＣＤ、又はいわゆる有機発光ダイオードと呼ばれるＯＬＥＤ、などのディスプレイを含み得る。通常、各画素は、Ｒ（赤）、Ｇ（緑）及びＢ（青）の原色などの色を発するためのサブ画素を有する。
【０００８】
更に、ＬＣＤの場合、各画素は、ディスプレイのバックライトによって照らされる。各サブ画素によって発せられる色は、１つ以上のトランジスタによって制御され、これにより、１つのサブ画素は、情報を表示するために時間の関数として特定の色を発するように制御され、この色は、原色のうちの１つ又はこれら原色のいくつかの合成であり得る。１つの画素は、このような理由により、色を発するための領域と制御用に１つ以上のトランジスタが配置される非発色領域に分割される。バックライトは、各画素を照らすように動作可能であり、これにより、非発色領域を照らす光の一部はブロックされ、結果として廃棄される。非発色領域のサイズは、制御部分のサイズによって決定される。
【０００９】
表示スクリーンの輝度は、現在、バックライトが画素の非発色領域においてどのくらい廃棄されているか、したがって、黒の非発色領域がどのくらいの大きさであるかによって影響を受けている。更に、スクリーンの輝度は、各画素のサイズを決定する画像解像度によって、またどのくらいの量のエネルギがディスプレイのバックライトに投入されるかによって影響を受けている。
【００１０】
表示スクリーンの輝度を向上させるため、且つエネルギを節約するために、画素の非発光領域を照らすバックライト照明の光があまり廃棄されないように、黒の非発色領域は年数を掛けて低減されてきている。しかしながら、表示スクリーンの輝度は、なお、改善されることが可能であり、したがって、表示される情報がさらに明るい改良された表示装置は、追加的に有利であり得、特に、改善された効率性及び／又は低減されたエネルギ消費は、有利であり得る。
【発明の開示】
【発明が解決しようとする課題】
【００１１】
本発明の目的は、ディスプレイ装置が情報などをユーザへ表示する主な目的に関して使用されない場合により美的であるように見える表示装置である一方で、美的な見た目を提供することにより生じる悪化を低減する表示装置を提供することである。
【課題を解決するための手段】
【００１２】
本発明の目的及び他の有利な点は、以下の記載から明らかである。本発明は、独立請求項によって規定される。従属項は、有利な実施例を規定する。
【００１３】
スクリーンのほぼ近傍に第２照明源を配置することによって、例えば、模様、写真、ロゴ、又はスローガンなどの画像、絵又は情報を、ユーザへ表示する第２の照明が実現される。これにより、例えば味気ない黒い箱であるよりも、周囲により適合する表示装置が達成される。
【００１４】
動く画像、絵、又は情報を表示する第１照明源の代わりに、画像、絵、又は情報の一覧を表示する第２照明源を使用するディスプレイは、より更に少ないエネルギを消費するが、それは、動く画像、絵、又は情報を表示するのには、画像、絵、又は情報の一覧を表示するためだけよりも、エネルギを使用するより多くのユニットが必要とされるからである。
【００１５】
表示装置の第１照明源がオフにされる場合に、画像、絵、又は写真を表示するディスプレイの第２照明源をオンにすることによって、表示装置は、美的創作物に転換され、もはや味気なく見えない。美的創作物としての表示装置は、フレームにおける絵画又は写真の形状を取り得る。表示装置の第２照明源は、更に、表示装置が存在する部屋の背景照明を提供するのに使用され得、表示装置は、この場合、くつろいだ家庭的な雰囲気を提供し得る。くつろいだ家庭的な雰囲気を提供する形式の表示装置は、調光器などの代わりに部屋において使用され得る。表示装置を美的創作物及び／又は快適な背景照明に変えることによって、このような表示装置は、この場合、上述の物体を、所望の機能を提供することが可能であるたった１つの装置によって置き換え得る。
【００１６】
更に、表示装置の第１照明源がオフにされる場合に、ロゴ又は細かい情報などの特定の情報を静的に又は動的な形式で表示するために表示装置の第２照明源をオンにすることによって、表示装置は、この場合、この特定の情報のみを表示している。特定の情報は、例えば、PC、DVD、又は他の媒体などのユーザ規定供給源からのものであり得る。第２照明源は、表示装置が、この特定の情報を示すために個別の第２表示装置を使用する必要がある代わりに、上述の第２の目的に関して使用されることを可能にする。加えて、表示装置は、第１照明源がエネルギを節約するためにオフにされる場合に、もはや黒く味気ないようには見えない。
【００１７】
更に、表示装置が短時間において使用されていなかったことを表示装置が記録すると、よく知られる「スクリーンセーバー」の代わりに、表示装置の第２照明源は、オンにされ得る。これにより、表示装置は、プレゼンテーション又は講義などにおいて使用されない間美的創作物へと転換される、又は表示装置は、プレゼンテーション又は講義の受講者を起こさせておくために冗談又は漫画の一片さえも表示し得る。
【００１８】
加えて、自身の動作を可能にする関連付けられたユニットを備える第２照明源は、第１照明源よりもエネルギをあまり消費し得ない。これにより、表示装置は、美的な創作物に転換され、また同時に第１照明源がオフにされる場合に、第１照明源が情報を表示する場合よりも少ないエネルギを消費する。美的創作物が、これにより、通常の表示動作に比べて少ないエネルギ消費で、且つ表示自体の悪化を招くことなく達成される。
【００１９】
第２照明源は、装置の表示スクリーンのほぼ周囲に配置され得る。第２照明源を表示スクリーンに対して周囲に配置することによって、スクリーンは、簡単な態様で照らされる。このような第２照明源は、大規模な構造変更を用いることなく、既存の表示装置に容易に組み込まれ得る。
【００２０】
第２照明源は、表示スクリーンの後ろ又は前に配置され得る。第２照明源は、例えば、スクリーンの前部に直接、又はスクリーンの背部に直接、設置され得る。第２照明源は、電源に接続される場合に照らす層をスクリーンに加えることによって、組み込まれ得る。これにより、表示装置をより大きくすること又は設計、製造及び組み立てにおいてより更に複雑にすることなく、表示装置の既存の設計に容易に組み込まれる第２照明源が、達成される。加えて、第２照明源は、スクリーンの周囲の後ろ又は前に配置され得、これにより、表示装置を美的創作物に転換するためのスクリーンの照明が達成される。
【００２１】
加えて、表示装置は、どの照明源が前記スクリーンを照らすように動作可能であるかを制御する照明源制御ユニットを備え得る。更に、第２照明源は、部分的にオンにされるように動作可能であり得、このような部分は、第１照明源がオフにされる場合に、１つずつオンにされ得る。これにより、各部分自体が順々に表示される画像であるように、表示装置を活動的な美的創作物に転換することが達成される。この場合、表示装置は、第２照明源がオンにされ、第１照明源がオフにされる場合に、上記されるのと同じ理由により、より少ないエネルギを使用している。
【００２２】
本発明の別の目的は、装置の表示スクリーンに表示される情報が表示装置における各画素のサイズを増加させることなくより明るく見えるようにさせる改良された表示装置を提供することである。
【００２３】
本発明の別の態様は、その目的として、高環境照明レベルの下でのスクリーンに表示される情報がより高いコントラストで表示される改良された表示装置を提供する。
【００２４】
下記から明らかになるこの目的及び他の有利な点は、装置のユーザへ情報を表示する表示スクリーンを備える表示装置によって達成され、当該表示スクリーンは、ブロック領域を有する少なくとも１つの画素を有し得、前記表示装置が、第１モード、第２モード又は第３モードで動作可能であり、前記第１モード又は第３において、前記装置の第１照明源が、前記情報を表示するために前記表示スクリーンを照らすように動作可能であり、前記第２照明源が、前記第２モード又は第３モードにおいて、前記表示スクリーンを照らすために、前記画素のブロック領域において配置される。
【００２５】
前記表示スクリーンを照らすために、前記画素のブロック領域において第２照明源を配置させることによって、表示装置において表示される情報の輝度は、表示スクリーンにおける各画素のサイズを増加させることなく改善される。第２照明源は、第３モードにおいて第１照明源及び第２照明源の両方がスクリーンを照らすことにより第１照明源を増強し、これにより、表示される情報の輝度が増強される。加えて、画素のブロック領域は、送信器などの画素制御ユニットに関する空間を作成することに加えて、別の目的に関しても使用される。これにより、画素解像度は、表示される情報の輝度を増加させるために低減されない。
【００２６】
更に、第２モードにおける第２照明源は、第１照明源がオフにされる場合に追加的な照明として使用され得ることが実現される。第２照明源は、例えば、オフ状態生成を表すために絵を照らすためなどの、多くの目的に関して追加的な照明として使用され得る。テレビ又はＰＣモニタがオフにされる場合、これらは、味気なく見え、テレビ又はＰＣモニタが配置される部屋の周囲に適合しない。画像などを照らすために第２照明源をオンにすることによって、この場合、表示装置を黒く味気ない状態の見た目の代わりに美的な創作物にすることが可能である。
【００２７】
本発明の更に別の態様において、第２照明源は、第３モードにおいて、第１照明源を増強するために、ほぼ第１照明源に匹敵する光量又はそれ以上の光量を発し得る。ユーザへ表示される情報又は画像の増強された輝度は、これにより、表示装置における各画素のサイズを増加させることなく得られる。
【００２８】
有利には、第２照明源は、本発明の別の態様に従い、第１照明源と同時にオンにされるように構成され得る。
【００２９】
本発明の別の態様において、表示装置は、第２照明源が、第１照明源からの照らされる画素と同じ色又はより明るい色の照明を提供するように動作可能であるような第３モードで動作可能である。これにより、全体的に輝度の高い色及びより高いコントラストが得られる。
【００３０】
第２照明源は、概して色輝度及びコントラストを増強する、すなわち画像品質を向上させるために、第１照明源によって照らされる画素と同じ色に調整される。第２照明源の色は、これにより、画素に表示されるべき画像情報（色）に従い各画素に関して個別に選択／生成され得る。
【００３１】
有利には、第２照明源は、本発明の別の態様に従い、第３モードにおいて、第１照明源に対してほぼ５：１の比率の光量、好ましくは３：１の比率の光量を発し得る。
【００３２】
更に、表示装置は、画素がどの色を発しているかを制御する画素制御ユニットを有し得、第２照明源が画素制御ユニットと画素の間において配置される。第２照明源は、この場合、第１照明源がオンにされる場合、ブロック領域として動作し得、ブロック領域を提供する第２処理が省略され得る。
【００３３】
加えて、表示装置は、画素がどの色を発しているかを制御する画素制御ユニットを有し得、画素制御ユニットは、第１照明源に最も近い画素の背部に配置され得、第２照明源は、画素の前部に配置される。同様に、この場合第２照明源は、第１照明源がオンにされる場合、ブロック領域として動作し得、ブロック領域を提供する第２処理が省略され得ることが達成される。更に、第２照明源から発される光は、光の一部が方向転換及び廃棄され得るように画素を通じて方向付けられることによって妨害されない。
【００３４】
本発明の別の態様において、第２照明源は、有機又は無機発光領域であり得る。有機発光領域であることによって、第２照明源は、他の種類の照明に比べて非常に少ない空間を占める、ＯＬＥＤ（有機発光ダイオード）又はＰＬＥＤ（ポリマーベースの光ダイオード）を備え得る。同一の有利な点は、第２照明源が無機発光源を備える場合にも達成される。更に、第２照明源が無機フィルムＥＬ構造を有する場合、高生産温度が、有機発光領域に関するような問題を引き起こさない。
【００３５】
本発明の更に別の態様において、有機又は無機発光領域は、蒸着処理、印刷処理、フィルタ処理又は噴霧処理によってフィルムの形態でブロック領域を形成するために画素に塗布され得る。これらの処理のうちの１つによって有機又は無機発光領域を塗布することによって、容易に及び正確な態様でブロック領域を設けることが可能である。
【００３６】
加えて、本発明のある態様に従う発光領域は、注入層、輸送層、発光層、ブロック層、電子輸送層、若しくは第２電極層、又はこれらの組合せを含み得る。
【００３７】
更に、本発明に従う発光領域は、ZnS、Mn、Tb又はこれらの組合せなどの無機層を含み得る。ZnS、Mn又はTbのうちのひとつを含む場合の無機層は、特定の電圧の下にある場合、ほぼ１つの色の光を発し得、層がこれらの組合せを含む場合、同一の画素において異なる色が得られる。ZnS、Mn又はTbのうちの１つを有する１つの画素、及びZnS、Mn又はTbのうちの別のものを含む画素を提供することも可能である。これにより、異なる色の画像を提供すること、そして当該表示装置を装置の周囲に適合し得る装飾品にすることが可能である。
【００３８】
加えて、発光領域は、本発明に従うと、ポリマーベースの有機発光ダイオード（ＰＬＥＤ）を備え得、ＰＬＥＤは、画素に貼り付け容易であり、したがって、生産に対して非常に好ましい。
【００３９】
本発明の別の態様は、上述の表示装置のユーザへ情報を表示する方法であって、第１照明源をスイッチオンにするステップを含み、当該方法は、更に、前記スクリーンを照らすために、前記表示スクリーンにおける画素のブロック領域において配置される第２照明源をスイッチオンにするステップを含む方法に関する。
【００４０】
本発明の更に別の態様は、第２照明源をスイッチオンにする場合に、第１照明源をスイッチオフにするステップを含む方法に関する。
【００４１】
本発明は、以下において、添付の図面を参照にして例証のみとして説明される。
【００４２】
異なる図における同一の参照符号は、同一又は類似の項目を表す。
【発明を実施するための最良の形態】
【００４３】
表示装置のユーザへ第１照明源を用いて情報を表示するための、本発明に従う表示装置５の実施例が、図１に示される。表示装置５は、表示装置５の表示スクリーン８の２つの側面における表示スクリーンの端部に第２照明源７を有するように示される。表示装置がユーザへ情報を表示するのに使用されない場合、第１照明源は、エネルギを節約するためにオフにされる。この場合、表示装置の第２照明源は、表示スクリーンに現れる画像、写真、絵又は他の情報を照らすためにオンにされる。第２照明源は、画像などを提供するために照明が反射されるような、スクリーンの粒子を照らす。第２照明源７は、異なる色を提供するために、スクリーンにおける異なる層も照らし得る。第２照明源７は、更に、画像などを提供するために、スクリーン８の特定の一部のみを照らすネオン灯であり得る。これにより、表示装置は装飾品へと転換され、この装置は、周囲に適合する。
【００４４】
図２において、表示装置は、表示スクリーン８の両側において及び表示スクリーン８の上部および底部において第２照明源を有するように示される。第２照明源７は、本発明の他の実施例において、表示スクリーン８の角などに異なる態様で配置され得る。
【００４５】
第２照明源は、図１及び２において、表示スクリーンの前に配置されるように示されるが、表示スクリーンの横及び／又は後ろにも配置され得る。スクリーンの背部に配置されるスクリーンの粒子を照らすステップは、上述されるのと類似する態様で実行され得る。
【００４６】
第２照明源７は、図３に示されるように直接スクリーンの背部に、又は図４に示されるように直接スクリーンの前に配置され得る。左側は、図３及び４の前側である。第２照明源７は、この態様において、表示スクリーン８に層として加えられ、この層は、層が電源に接続される場合に、スクリーン８の照明を可能にする。この層は、異なる粒子又は異なる粒子の層を含む。この層は、電源に接続される場合、異なる色を生成し得る、及び／又は単色を生成し得、この色は、スクリーン８の一部を形成するカラーフィルタと組み合わせて様々な色に変換され得、これにより、画像などが作成され得る。これにより、層の前にある第２照明源７が実現され、この場合、第２照明源７は、表示装置をより大きくする又はより設計、製造及び組み立てにおいて複雑にすることなく、表示装置５の既存の設計に容易に組み込まれる。表示スクリーンは、この第２照明源７をオンにすることによって、簡単なやり方で、美的創作物に転換される。第２照明源７は、それ自体又は１つ以上のユニットと一緒にして同時に、第１照明源が詳細な動画を表示する場合よりも少ないエネルギを消費する。第１照明源がオンにされる場合、表示装置５は、非常に詳細な動画を表示し得、第２照明源７がオンにされる場合、表示装置５は、実質的に１つの特定の画像、写真、絵、又は情報の一覧を表示し得る。表示装置が第１照明源を用いて動画を表示している場合、表示装置は、第２照明源７を用いて１つの画像のみを表示するのに必要とされる１つ以上のユニットよりも、より多くのエネルギを使用する他の複数のユニットを活用する。結果的に、表示装置は、第２照明源７が表示装置５を美的創作物に転換するのに使用される場合に、第１照明源が全ての種類の情報又は動画を表示するのに使用される場合よりも、少ないエネルギを使用する。
【００４７】
第２照明源７は、第２照明が図５および図６に示されるような位置からスクリーンを照らすことが可能である限りは、図６に示されるように内部コンポーネント１の前に、又は図５に示されるようにこれらの内部コンポーネント１の背部に、組み込まれ得る。これは、異なる色を提供するフィルタなどの第１照明を提供する特定の透明コンポーネント１の場合に当たる。図５及び６におけるコンポーネント１の左側は、前側である。画素制御ユニット４は、コンポーネント１の背部に存在し得、以下に説明される。更に、内部コンポーネント１の前に第２照明源７を設ける場合、照明源は、他の目的に関して使用されない空間に配置される。
【００４８】
表示装置５は、１つ以上のトランジスタを含む少なくとも１つの画素制御ユニットによってそれぞれ制御される画素１９を備える表示パネルを有する。図７は、本発明に従う表示装置の実施例の画素１９を示す。画素１９は、第１照明源６（図示せず）がオンにされ、第２照明源７（図示せず）がオフにされる第１モードであるように示される。これにより、Ｒ（赤）、Ｇ(緑)及びＢ(青)の原色を発する３つの窓領域２が照らされ、ブロック領域３は、窓領域２に対する暗い領域として示される。窓領域２は、サブ画素とも呼ばれる。
【００４９】
図７における画素１９は、表示装置の前側からユーザによって観察されるように示される。各色のどのくらいの量が発されるべきかを制御する画素制御ユニット４は、画素１の後ろ側に配置されるので、この画素制御ユニット４は、したがって、図７に示されない。画素制御ユニット４は、とりわけトランジスタを含み、画素１９のブロック領域を形成する。画素制御ユニット４は、第１照明源６の発光が画素１９を通過するのを妨害及びブロックする。第１照明源６からの光が窓領域２のみを通過することを保証するため、また異なる色Ｒ、Ｇ及びＢ間の色分離を向上させるために、ブロック領域３は、画素１９に適用されるブロック層によって正確に規定される。ブロック領域３は、窓領域２すなわち各窓領域のサイズを通じて発される光の正確な量を制御するために、画素制御ユニット４のサイズよりも幾分大きい。
【００５０】
図８に示される画素１９は、第２照明源７が有効にされ、第１照明源６がオフにされる第２モードである状況を示し、この場合、上述の窓領域２は、第１照明源６からの光を伝達するようにはもはや動作可能ではなく、黒領域として示される。第２照明源７は、このモードにおいて、味気ない黒い表示装置を装飾品へと変化させるために、例えば画像を表示する表示スクリーン８を照らしている。このようにして、装置は、装置の周囲に十分に適合する。
【００５１】
追加的に又は代替的に、第３モードにおいて、第１照明源６及び第２照明源７の両方が同時にオンにされ得る。両方の照明源がオンにされる場合、第２照明源７は、第１照明源６を用いて表示される画像又は情報を増強するために、明るい色を生成する。用語として、明るい色は、第１照明源を増強するために、ほぼ第１照明源のレベルの２０％のオーダの光量又はそれ以上の光量を意味される。更に、第２照明源７は、原色Ｒ、Ｇ、Ｂを発する１つ以上の窓領域２を照らし得、この窓領域２は、第１照明源６からも光を受ける。このことは、第１照明源６を用いて表示される画像又は光を増強する。
【００５２】
図５及び図６に示されるコンポーネント１は、画素１９（図示せず）を含む又は画素１９によって形成され得る。
【００５３】
第２照明源７は、表示装置５のこのような画素１に直接設けられ得る。第２照明源７は、図５に示されるように、画素１及び画素制御ユニット４の間において、表示スクリーン８に対して画素の背部に配置され得る。第２照明源７は、代替的に、図６に示されるように、表示スクリーン８に対して画素１９の前部に配置され得る。
【００５４】
図５及び６に示される両方の態様において、第１照明源は、スクリーン８に対して画素１９の後ろから画素１９を照らしており、画素制御ユニット４は、ブロック領域において特定の光をブロックしている。
【００５５】
実施例において、第２照明源７は、ブロック層として作用し、これにより、およそ画素制御ユニット４のサイズである又はこのサイズより幾分大きい領域を覆う。第２照明源７は、小分子ＯＬＥＤなどの又はＰＬＥＤとも呼ばれるポリマーベースのＯＬＥＤなど、ＯＬＥＤとも呼ばれる有機発光ダイオードを含む有機発光領域の形式で、第２照明源図５及び６に示されるのと同様に画素１９の前部又は背部に供給され得る。ＯＬＥＤは、真空蒸着処理、印刷処理、フィルタ処理又は噴霧処理によって画素に塗布され得、これにより、ＯＬＥＤは、発光領域を形成する。ＯＬＥＤは、第２照明源７を提供するために、個別に、グループで、又は全て一緒に同時に、アドレス処理可能であり得る。
【００５６】
このようなＯＬＥＤは、最小構成として、基板と、アノードとして通常構成される底部電極と、底部電極から離されて配置されカソードとして通常構成される上部電極と、発光層と、を含む。少なくとも１つの電極は、ＯＬＥＤの発光層において発生される光に関して（半）透明である。ある実施例において、カソードは、例えば35nmのBAなどの半透明層と、例えば100nmのアルミニウムなどの高反射層と、を含む。アノードは、例えば酸化インジウムスズとも呼ばれるＩＴＯなどの透明伝導層を含む。ＯＬＥＤのこの構造は、Luxell社（SID  94  Digest  page  140）のいわゆる「ブラックカソード(Black  Cathode)」として知られ、ＯＬＥＤ「ブラックマトリクス」とも呼ばれる。ＯＬＥＤは、ホール注入層、ホール輸送層、電子輸送層、及び電子注入層、をも含み得る。
【００５７】
基板は、有機固体、無機固体、又は有機及び無機固体の組合せであり得る。通常の基板材料は、ガラス、プラスチック、金属、セラミック、半導体、酸化金属、酸化半導体、窒化半導体、又はこれらの組合せを含む。基板は、均一材料混合、材料の合成物、又は複数の材料の多層であり得る。基板は、ＯＬＥＤ基板、すなわち例えばアクティブマトリクス型低温ポリシリコン又はアモルファスシリコンＴＦＴ基板などの、ＯＬＥＤ装置を準備するのに通常使用される基板であり得る。基板は、意図される発光の方向に依存し、光透過型又は不透明型のいずれかであり得る。
【００５８】
ホール注入層において使用するのに適した材料は、ポルフォニン合成物、プラズマ蒸着フッ化炭素ポリマー、並びに、ＶＯｘとも呼ばれる酸化バナジウム、ＭｏＯｘとも呼ばれる酸化モリブデン、及びＮｉＯｘとも呼ばれる酸化ニッケルなどを含む無機酸化物であるが、これらには制限されない。
【００５９】
ホール輸送層は、ＮＰＢとも呼ばれるナフタレン・ジフェニル・ベンジジン（naphthalene-diphenyl-benzidine）を含み得る。電子注入層材料の例は、アルカリ若しくはアルカリ土類金属、ＬｉＦなどのアルカリハロゲン化塩、又はアルカリ若しくはアルカリ土類金属ドープ有機層、を含み得る。
【００６０】
ＯＬＥＤ「ブラックマトリクス」は、オフにされる場合に完全なブラックマトリクスとして動作する。この第２照明源がオンにされる場合に、例えば3〜8Vが電極に印加される場合に、ＯＬＥＤ「ブラックマトリクス」が発光する。
【００６１】
ＯＬＥＤ「ブラックマトリクス」のいずれかの発色も、表示スクリーン８全体に、又は異なる領域にセグメント化されて単色として実現され得る。上述のカソード及びアノードは、上述のように装飾目的に関して画像を作成するために、均一の照明又は異なる領域若しくは模様の選択を可能にするために、様々な態様でアドレス処理され且つ組み込まれ得る。
【００６２】
実施例において、第２照明源７は、上述のＯＬＥＤ「ブラックマトリクス」７の形式で、画素１９の前部に配置され、画素制御ユニット４は、図６に示されるように画素１の背部に配置される。このＯＬＥＤからの発光は、この場合、画素１を介してではなく表示スクリーン８へ直接発せられる。ＯＬＥＤ「ブラックマトリクス」７は、第２照明源７すなわちここではＯＬＥＤ「ブラックマトリクス」７がオフにされる場合に、ブロック領域としての機能をなお有する。
【００６３】
別の実施例において、ＯＬＥＤ「ブラックマトリクス」７は、図３に示されるように表示スクリーン８の背部において、又は図４に示されるように表示スクリーン８の前部に設けられ得る。
【００６４】
更なる実施例において、第２照明源７は、いわゆるＯＬＥＤ「ブラックマトリクス」７の代わりに、無機フィルムエレクトロルミネッセンス（ＥＬ）構造を含み得、この構造は、3〜300Vの電圧、例えば100〜250Vが電極に印加される場合に光を発し得る。無機フィルムＥＬ構造は、ＯＬＥＤとして機能し得、表示スクリーン８全体に、又は異なる領域にセグメント化されて単色として実現され得る。無機フィルムＥＬ構造のカソード及びアノードは、上述のように装飾目的に関して画像を作成するために、均一の照明又は異なる領域若しくは模様の選択を可能にするために、様々な態様でアドレス処理され且つ組み込まれ得る。
【００６５】
更なる実施例において、光を発する窓領域は、上述の原色以外の色であり得る。
【００６６】
更に、本発明に従う、色を発するこれらの窓領域は、ＯＬＥＤ若しくはＰＬＥＤである、又は無機フィルムＥＬから作製され得、これにより、第１照明源は、バックライトの形式で背後にではなく、画素１９に配置される。第１照明源６及び第２照明源７の両方は、ＯＬＥＤ若しくはＰＬＥＤを含む同一の群から選択され得る、又は無機フィルムＥＬ構造から作製され得る。
【００６７】
本発明は、ＬＣＤディスプレイ及び、小分子ＯＬＥＤ、ポリマーベースのＯＬＥＤ、ボトムエミッションＯＬＥＤ、トップエミッションＯＬＥＤ、Ｒ／Ｇ／Ｂ原色ＯＬＥＤ、及びカラーフィルタを有する白色発光ＯＬＥＤなどの全ての種類のＯＬＥＤディスプレイに適用され得る。
【００６８】
第２照明源は、全ての実施例において、点、線、又は平面光源の形態であり得る。更に、表示装置５は、直視型ＴＶ又はＰＣモニタであり得るが、陰極線管とも呼ばれるＣＲＴ、プラズマディスプレイパネルとも呼ばれるＰＤＰ、ＬＣＤパネル又はＯＬＥＤパネル又は他のパネルを含む、的確な表示スクリーン８が使用される。
【００６９】
プラズマディスプレイパネルに関して、製造時における温度は、非常に高く、この場合、ＬＥＤダイスとも呼ばれる無機発光ダイオードは、第２照明源を提供するために有利に実施化され得る。この無機ＬＥＤダイスは、ＰＤＰのバリアストリップ内に又は蛍光体チャネル内に容易に実施化され得る。ＬＥＤダイスは、更に、いずれの色も発するように選択され得、導光層への光学的接続及びダイスの数に依存して、ＰＤＰの生じる照明は、画像のいずれの所望な形状を有し得る。
【００７０】
図９において、偏光フィルタ１１を有する表示装置が示される。当該装置は、更に、液晶１３の下に位置される画素１９のＴＦＴパネル１４を有する。液晶１３は、カラーフィルタパネル１２及び透明電極１０（図示せず）の下に位置される。破線の矢印は、第１照明源６から生じる光を例証するように示される。
【００７１】
第１照明源は、第１照明源がオンにされる又はオフにされる第１モードで動作可能である。同様に、第２照明源は、第２照明源がオンにされる又はオフにされる第２モードで動作可能である。第２照明源は、第１照明源がオフにされる場合にオンにされるように動作可能であり得、同様に、第１照明源は、第２照明源がオフにされる場合にオンにされるように動作可能であり得る。当該装置は、第３モードにおいて、両方の第１照明源及び第２照明源がオン又はオフのいずれかにされるように、動作可能である。両方がオンにされる場合、照明源のうちの１つが、最大の照明を実行しているので、スクリーンに見え得るものに関して決定する。この場合、決定する照明源は、ユーザへ画像、絵、写真、情報又はデータを表示する他の照明源によって支援され得る。
【００７２】
表示装置は、第１モード又は第３において、第１照明源が、画像、絵、写真、情報又はデータのいずれかの種類を表示するためにオンにされ、前記画像、絵、写真、情報又はデータは、動く画像、絵、写真、情報又はデータを生成するために、ランダムな順序で表示され得る。
【００７３】
ブロック領域という用語は、画素を制御するためのコンポーネントが第１照明源から照らされる光をブロックしている画素の領域であるように規定される。このブロック領域は、第２照明源が画素に配置されない場合、画素の非発光領域とも呼ばれ得る。
【００７４】
上述の実施例は、本発明を制限するものよりもむしろ例証するものであり、当業者が、添付の請求の範囲から逸脱することなく、多数の代わりの実施例を設計することが可能であることを注意しなければならない。請求項において、括弧記号間に位置される如何なる参照符号も、請求項を制限するように解釈されてはならない。「有する」という語句は、請求項に記載される以外の要素又はステップの存在を排除しない。単数形の構成要素は、複数個の斯様な構成要素の存在を排除しない。本発明の部分を形成する手段は、専用ハードウェアの態様において、又はプログラムされた汎用目的処理器の態様において双方で実装され得る。いくつかの手段を列挙している装置請求項において、これらの手段のいくつかは１つの同じハードウェアの項目によって、実施化することが可能である。特定の手段が、相互に異なる従属請求項において引用されているという単なる事実は、これらの手段の組合せが有利になるように使用されていることができないと示すものではない。
【図面の簡単な説明】
【００７５】
【図１】図１は、第２照明源を有する表示装置の実施例を示す。
【図２】図２は、第２照明源を有する表示装置の別の実施例を示す。
【図３】図３は、表示装置における第２照明源の可能な配置を概略的に示す。
【図４】図４は、表示装置における第２照明源の別の可能な配置を概略的に示す。
【図５】図５は、表示装置における第２照明源の別の可能な配置を概略的に示す。
【図６】図６は、表示装置における第２照明源の別の可能な配置を概略的に示す。
【図７】図７は、赤、緑及び青の原色を発する窓領域を有する画素の図面を概略的に示す。
【図８】図８は、ブロック領域において第２照明源を有する画素の図面を概略的に示す。
【図９】図９は、画素が配置される表示装置の一般的な構造を示す。
【図１】
2009503599.tif 000003
【図２】
2009503599.tif 000004
【図３】
2009503599.tif 000005
【図４】
2009503599.tif 000006
【図５】
2009503599.tif 000007
【図６】
2009503599.tif 000008
【図７】
2009503599.tif 000009
【図８】
2009503599.tif 000010
【図９】
2009503599.tif 000011
【国際調査報告】
2009503599.tif 000012
2009503599.tif 000013
2009503599.tif 000014
2009503599.tif 000015
2009503599.tif 000016